(57)【要約】【課題】  屋根板内に段差が設けられていて意匠性が高く雨仕舞や施工性にも優れた横葺き屋根板と、この横葺き屋根板を容易に取り付けることができまた屋根への設置が簡単で雨仕舞に優れた屋根板用継ぎ手とを提供する。【解決手段】  上段屋根板部1aと下段屋根板部1bとの間に段差部1c及びその下段屋根板部1b側に凸状部1dを形成した屋根板本体１と、その四周に形成した、水下側立下がり部2aを有する下辺係止部２と、上段凸状部3aを有する上辺係止部３と、屋根板本体１の裏面側に折り返した折返し係止片４，４，４，４とで横葺き屋根板を構成すると共に、左右側部に長手方向と平行に折返し部5f，5fを形成した波板から成り、長手方向に直交する折曲部5cで表面側に折り曲げて上段捨て板部5aと下段捨て板部5bとを形成した捨て板５と、捨て板５の幅方向中央に設置した継ぎ手本体６とで屋根板用継ぎ手を構成する。【選択図】        図７
2006193948.tif 000002
【特許請求の範囲】
【請求項１】
上段屋根板部(1a)と下段屋根板部(1b)との間に該上段屋根板部(1a)から略直角に立ち下げられた段差部(1c)及びその下段屋根板部(1b)側に表面側に突出した凸状部(1d)が形成されている屋根板本体(１)の四周に、
該下段屋根板部(1b)の水下側で裏面側に略直角に折り曲げられた水下側立下がり部(2a)と該水下側立下がり部(2a)から裏面側に略直角に折り曲げられた折曲げ部(2b)とから成る下辺係止部(２)が、
該上段屋根板部(1a)の水上側で表面側に突出した上段凸状部(3a)と、該上段凸状部(3a)から該上段屋根板部(1a)と略平行に水上側の第１折返し部(Ａ)に至る前記下辺係止部(２)の折曲げ部(2b)用の載置部(3b)と、該第１折返し部(Ａ)から第２折返し部(Ｂ)まで表面側に斜めに折り返された第１傾斜部(3c)と、該第２折返し部(Ｂ)で表面側に斜めに折り返された第２傾斜部(3d)と、該第２傾斜部(3d)の水上側で表面側に突出している突出部(3e)と、該突出部(3e)から立ち下げられた水上側立下がり部(3f)と、該水上側立下がり部(3f)の終端から該屋根板本体(１)の凸状部(1d)の下端と該上段凸状部(3a)の下端とを結ぶ延長線上に略位置するように表面側に折り曲げられている野地板固定片(3g)とから構成されている上辺係止部(３)が、
該上段屋根板部(1a)及び該下段屋根板部(1b)の左右側縁にそれぞれ屋根板本体(１)の裏面側に折り返された折返し係止片(４，４，４，４)が、
それぞれ形成されていることを特徴とする横葺き屋根板。
【請求項２】
上段屋根板部(1a)と下段屋根板部(1b)とが略同寸法である請求項１に記載の横葺き屋根板。
【請求項３】
段差部(1c)と下辺係止部(２)の立下がり部(2a)とが略同じ高さである請求項１又は２に記載の横葺き屋根板。
【請求項４】
段差部(1c)の下段屋根板部(1b)側に表面側に突出した凸状部(1d)と上段凸状部(3a)とが略同じ高さである請求項１から３までのいずれか１項に記載の横葺き屋根板。
【請求項５】
折返し係止片(４，４，４，４)の水上側の端縁が屋根板本体(１)の中心線側に行くに従って水下側に位置している請求項１から４までのいずれか１項に記載の横葺き屋根板。
【請求項６】
下辺係止部(２)の折曲げ部(2b)の左右側部がそれぞれ水上側から水下側の所定位置まで切り欠かれている請求項１から５までのいずれか１項に記載の横葺き屋根板。
【請求項７】
左右側部にそれぞれ長手方向と平行に表面側に折り返された折返し部(5f，5f)が設けられており少なくとも該折返し部(5f，5f)以外の部分の幅方向全面に長手方向と平行な波が連続して設けられている波板から成り、長手方向に直交する折曲部(5c)で表面側に折り曲げられて上段捨て板部(5a)と下段捨て板部(5b)とが形成されており、該下段捨て板部(5b)の水下側には裏面側に略直角に折り曲げられた水下側立下がり部(5d)が、該上段捨て板部(5a)の水上側には表面側に斜めに折り返されていてその幅方向中央の上部に表面側に折り返された継ぎ板係止部(5ea)が設けられている上辺係止部(5e)がそれぞれ形成されている捨て板(５)と、
上部係合部(6a)になる部分と上段継ぎ手部(6b)になる部分と段差部(6c)になる部分と下段継ぎ手部(6d)になる部分と立下がり部(6e)になる部分と折曲げ部(6f)になる部分とが順次設けられており、該上部係合部(6a)になる部分と該上段継ぎ手部(6b)になる部分とにはその両側にそれぞれ表面側に折り返された所定幅の第１折返し部(6aa，6ba)が、該段差部(6c)になる部分には該第１折返し部(6aa，6ba)の幅より狭い表面側に折り返された第２折返し部(6ca)が、該下段継ぎ手部(6d)になる部分には第１折返し部(6aa，6ba)と略同じ幅で表面側に折り返された第３折返し部(6da)が、各折返し部(6aa，6ba，6ca，6da)の折返し線が一直線状になるように設けられている板材から成り、該上段継ぎ手部(6b)になる部分の水上側で該上部係合部(6a)になる部分が表面側に斜めに折り返されており、該上段継ぎ手部(6b)になる部分の水下側で該段差部(6c)になる部分が略直角に立ち下げられており、該段差部(6c)になる部分の下端で該下段継ぎ手部(6d)になる部分が該上段継ぎ手部(6b)になる部分と略平行に表面側に折曲されており、該下段継ぎ手部(6d)になる部分の水下側で該立下がり部(6e)になる部分が裏面側に略直角に折り曲げられており、該立下がり部(6e)になる部分の下端で該折曲げ部(6f)になる部分が裏面側に略直角に折り曲げられている継ぎ手本体(６)とから構成されており、
該継ぎ手本体(６)の下段継ぎ手部(6d)の裏面がその水上側の端部を該捨て板(５)の折曲部(5c)に位置した状態で該捨て板(５)の下段捨て板部(5b)の表面に当接しており、該捨て板(５)の水下側立下がり部(5d)が該継ぎ手本体(６)の立下がり部(6e)と折曲げ部(6f)とに、また該継ぎ手本体(６)の上部係合部(6a)が該捨て板(５)の上辺係止部(5e)の継ぎ板係止部(5ea)にそれぞれ係止された状態で、該継ぎ手本体(６)が該捨て板(５)の幅方向中央に設置されていることを特徴する屋根板用継ぎ手。
【請求項８】
第１折返し部(6ba)及び第３折返し部(6da)の水下側の端縁が継ぎ手本体(６)の中心線側に行くに従って水上側に位置している請求項７に記載の屋根板用継ぎ手。
【請求項９】
継ぎ手本体(６)の段差部(6c)が、その下端に下段継ぎ手部(6d)側に傾斜した傾斜部(6cb)を有している請求項７又は８に記載の屋根板用継ぎ手。
【請求項１０】
板材が、継ぎ手本体(６)の各折返し部(6aa，6ba，6ca，6da)の折返し線側に長手方向と平行な凸条部(6g，6g)が設けられた板材である請求項７から９までのいずれか１項に記載の屋根板用継ぎ手。
【請求項１１】
板材が、継ぎ手本体(６)の立下がり部(6e)になる部分の両側に各折返し部(6aa，6ba，6ca，6da)の折返し線と同一直線の折返し線によってそれぞれ表面側に折り返された第４折返し部(6ea)が設けられている板材である請求項７から１０までのいずれか１項に記載の屋根板用継ぎ手。
【請求項１２】
捨て板(５)の折曲部(5c)が長手方向の略中央に設けられている請求項７から１１までのいずれか１項に記載の屋根板用継ぎ手。
【発明の詳細な説明】
【技術分野】
【０００１】
本発明は、屋根板内に段差が設けられていて意匠性が高く雨仕舞や施工性にも優れた横葺き屋根板と、この横葺き屋根板を容易に取り付けることができまた屋根への設置が簡単で雨仕舞に優れた屋根板用継ぎ手とに関するものである。
【背景技術】
【０００２】
銅板のような金属製の屋根では、外観を美しく見せることができるように多数の矩形状の屋根板を長手方向を横にして上下左右に連結して屋根面が形成されている。またこのような屋根は、その葺き方によって横葺き屋根や平葺き屋根等に区別され、従来から用途に合わせて使い分けられている。
【０００３】
横葺き屋根では比較的大きな屋根板が、施工が容易で且つ安価であるので広く利用されている。横葺き屋根の中には、段葺き屋根のように屋根板の上下の係合部に段を付けることによって立体感のある屋根を形成させることができるものもあるが、一文字葺き屋根の如き比較的小さな屋根板が使用される平葺き屋根に比べると、意匠性の点ではやや見劣りするため、意匠性の向上が求められている。
【０００４】
このような横葺き屋根の意匠性の問題に対して、銅板、カラー鉄板を用いた横葺き材において、中間横はぜをＺ状に形成するとともに、上下折り曲げ部間の水平距離と高さとをほぼ等しく形成したことを特徴とする横葺き材がある（例えば、特許文献１参照。）。この横葺き材では横葺き材の中央部にＺ状の横はぜが設けられていてこの横はぜに順次横葺き材を重ね葺きすることによって、複数の小さな横葺き材から構成されているように見せて一文字調の屋根を形成させている。しかしながら、このような特殊な形状の屋根板を重ね葺きした場合には横方向の接合部における雨仕舞が非常に困難であるにも拘わらず、その対策としては、重ねた部分に捨て板を置くことしか示されておらず、また軽量な銅板等の屋根板では風による捲れ上がりが大きな問題となるが、この点についても重ね合わせた部分は横はぜに上下方向を係止されているだけで、側部からの風に対する対策が全くなされていないのである。
【０００５】
また中間部に長手方向と平行な段差部が形成されているものとしては、横幅が長尺な金属板にて側断面の上面に段形状を、フラットな下面一体に多数の孔を形成し、縦方向一端側には、中央幅方向に止め具溝を有する立ち上がり部を屈曲形成したハゼ受け部と、合欠形状を屈曲形成した背面噛合わせ部とが設けられ、他端側には、前記下面端部を最下段の段長さの略中程において前記背面噛合わせ部と合致する逆合欠形状を屈曲形成した前面噛合わせ部と、前記上面端部を下面側に屈曲形成したハゼ掛け部とが設けられ、前記上面と下面に挟まれる空間全体に断熱材を一体的に充填したことを特徴とする横葺長尺段重ねパネルがある（例えば、特許文献２参照。）。この横葺長尺段重ねパネルでは発泡硬質ウレタン材が内部に充填されているので、形状維持性が高く、また裏面にも金属板が設けられているから施工の際に野地板等を必要としないのである。しかしながら、この横葺長尺段重ねパネルは、１枚のパネルを屋根の全幅に亘って葺くものであるから屋根の幅方向には一切継ぎ目が存在しないため単調で意匠性が低いという欠点がある。
【０００６】
また屋根の幅方向に継ぎ目を形成する横葺き屋根板の施工を容易にし雨仕舞に対しても考慮した継手部材としては、軒側成形部、棟側成形部、面板部からなる横葺き外装材の側縁部を接続する継手部材であって、略平面状の捨板部材と、基板部と該基板部の一方の側縁を上方に折り返して上片部を形成して外装材の側縁部が挿入可能な挿入溝部を形成したジョイント部材からなり、前記捨板部材の表面と前記ジョイント部材の基板部裏面との間に挿入空間が形成されるようにジョイント部材を捨板部材上に一体化させたことを特徴とする横葺き外装材の継手部材がある（例えば、特許文献３参照。）。この横葺き外装材の継手部材は、ジョイント部材が捨板部材上に一体化されているので、設置に手間がかからずまた横葺き外装材の側縁部を挿入するだけ簡単に施工できる。しかしながら、この横葺き外装材の継手部材は単に従来からある形状の捨板部材とジョイント部とを一体化しただけのものであるから、屋根板内に段差部を有するような意匠性の高い特殊な形状の屋根板には利用することができないのである。
【０００７】
【特許文献１】実開昭６４−２９４１１号公報
【特許文献２】実開平６−７１６６０号公報
【特許文献３】特開２００１−１２０２０号公報
【発明の開示】
【発明が解決しようとする課題】
【０００８】
本発明は、前記従来技術における問題を解消し、屋根板内に段差が設けられていて意匠性が高く雨仕舞や施工性にも優れた横葺き屋根板と、この横葺き屋根板を容易に取り付けることができまた屋根への設置が簡単で雨仕舞に優れた屋根板用継ぎ手とを提供することを課題とする。
【課題を解決するための手段】
【０００９】
本発明者は前記課題を解決すべく鋭意研究の結果、横葺き屋根板の屋根板本体に上段屋根板部と下段屋根板部とその間に上段屋根板部から略直角に立ち下げられた段差部を形成すれば、１枚の屋根板であるにも拘わらず２枚の屋根板が継がれているように見えて意匠性が向上し、また屋根板内に段差部を設けると横方向に隣接する屋根板の左右側縁間においてその部位の雨仕舞が非常に難しくなるが、その段差部の水下側に表面側に突出した凸状部を設ければ、横方向に隣接する屋根板の左右側縁間から段差部の裏面側に浸入した雨水は段差部の裏面側に沿ってこの凸状部の裏面側に流下するが、この凸状部の裏面側には空間が形成されているため毛細管現象等を起こすことなく、横葺き屋根板の左右側部の裏面側に設置される捨て板等に直ちに導かれるから十分な雨仕舞ができ、更にこの凸状部に合わせて上段屋根板部の水上側に上段凸状部を設ければ、各段差が単に直角に折曲されただけの簡単な形状ではなく２つの異なる形状の部位から形成された特殊な段差に見えるので意匠性が格段に向上し、更に上段屋根板部及び下段屋根板部の左右側縁にそれぞれ屋根板本体の裏面側に折り返された折返し係止片をそれぞれ形成させれば、これらの折返し係止片を屋根板用継ぎ手にそれぞれ係止させることによって屋根板本体の左右側縁部がそれぞれ屋根板用継ぎ手によって確実に位置規制されるので雨仕舞が良く外観の良好な屋根を形成することができることを究明したのである。
【００１０】
またこのような横葺き屋根板に使用される屋根板用継ぎ手を、捨て板の幅方向中央に横葺き屋根板と略同じ横断面形状を有する継ぎ手本体を設置させて構成すれば、横方向に隣接する横葺き屋根板の左右側部から裏面側に浸入してきた雨水の多くは、横葺き屋根板の左右側部が係止されている横葺き屋根板と略同じ横断面形状を有する継ぎ手本体に流れ込むので、この継ぎ手本体から雨水を水下側に排水することができ、また継ぎ手本体が設置される捨て板を左右側部にそれぞれ表面側に折り返された折返し部が設けられた波板によって形成することによって大量の雨水が浸入して継ぎ手本体から溢れても雨水は捨て板上を水下側に勢いよく流れて雨水が捨て板の左右の側端部を越えて野地板上に達するようなことがなく、更に捨て板を長手方向に直交する折曲部で折り曲げて捨て板の水上側の裏面が野地板上に当接して設置できるようにすれば横葺き屋根板の安定性が向上し、また継ぎ手本体には、上部係合部になる部分と上段継ぎ手部になる部分と段差部になる部分と下段継ぎ手部になる部分と立下がり部になる部分と折曲げ部になる部分とを順次設け、上段継ぎ手部になる部分と下段継ぎ手部になる部分との両側に所定幅の折返し部をそれぞれ形成すれば、横葺き屋根板の上段屋根板部及び下段屋根板部の左右側縁にそれぞれ設けられた折返し係止片を、上段継ぎ手部とその両側の折返し部との間及び下段継ぎ手部とその両側の折返し部との間に水下側から挿入係止するだけで容易に施工することができることも究明して本発明を完成したのである。
【００１１】
即ち本発明は、上段屋根板部と下段屋根板部との間に該上段屋根板部から略直角に立ち下げられた段差部及びその下段屋根板部側に表面側に突出した凸状部が形成されている屋根板本体の四周に、
該下段屋根板部の水下側で裏面側に略直角に折り曲げられた水下側立下がり部と該水下側立下がり部から裏面側に略直角に折り曲げられた折曲げ部とから成る下辺係止部が、
該上段屋根板部の水上側で表面側に突出した上段凸状部と、該上段凸状部から該上段屋根板部と略平行に水上側の第１折返し部に至る前記下辺係止部の折曲げ部用の載置部と、該第１折返し部から第２折返し部まで表面側に斜めに折り返された第１傾斜部と、該第２折返し部で表面側に斜めに折り返された第２傾斜部と、該第２傾斜部の水上側で表面側に突出している突出部と、該突出部から立ち下げられた水上側立下がり部と、該水上側立下がり部の終端から該屋根板本体の凸状部の下端と該上段凸状部の下端とを結ぶ延長線上に位置するように表面側に折り曲げられている野地板固定片とから構成されている上辺係止部が、
該上段屋根板部及び該下段屋根板部の左右側縁にそれぞれ屋根板本体の裏面側に折り返された折返し係止片が、
それぞれ形成されていることを特徴とする横葺き屋根板、
及び
左右側部にそれぞれ長手方向と平行に表面側に折り返された折返し部が設けられており少なくとも該折返し部以外の部分の幅方向全面に長手方向と平行な波が連続して設けられている波板から成り、長手方向に直交する折曲部で表面側に折り曲げられて上段捨て板部と下段捨て板部とが形成されており、該下段捨て板部の水下側には裏面側に略直角に折り曲げられた水下側立下がり部が、該上段捨て板部の水上側には表面側に斜めに折り返されていてその幅方向中央の上部に表面側に折り返された継ぎ板係止部が設けられている上辺係止部がそれぞれ形成されている捨て板と、
上部係合部になる部分と上段継ぎ手部になる部分と段差部になる部分と下段継ぎ手部になる部分と立下がり部になる部分と折曲げ部になる部分とが順次設けられており、該上部係合部になる部分と該上段継ぎ手部になる部分とにはその両側にそれぞれ表面側に折り返された所定幅の第１折返し部が、該段差部になる部分には該第１折返し部の幅より狭い表面側に折り返された第２折返し部が、該下段継ぎ手部になる部分には第１折返し部と略同じ幅で表面側に折り返された第３折返し部が、各折返し部の折返し線が一直線状になるように設けられている板材から成り、該上段継ぎ手部になる部分の水上側で該上部係合部になる部分が表面側に斜めに折り返されており、該上段継ぎ手部になる部分の水下側で該段差部になる部分が略直角に立ち下げられており、該段差部になる部分の下端で該下段継ぎ手部になる部分が該上段継ぎ手部になる部分と略平行に表面側に折曲されており、該下段継ぎ手部になる部分の水下側で該立下がり部になる部分が裏面側に略直角に折り曲げられており、該立下がり部になる部分の下端で該折曲げ部になる部分が裏面側に略直角に折り曲げられている継ぎ手本体とから構成されており、
該継ぎ手本体の下段継ぎ手部の裏面がその水上側の端部を該捨て板の折曲部に位置した状態で該捨て板の下段捨て板部の表面に当接しており、該捨て板の水下側立下がり部が該継ぎ手本体の立下がり部と折曲げ部とに、また該継ぎ手本体の上部係合部が該捨て板の上辺係止部の継ぎ板係止部にそれぞれ係止された状態で、該継ぎ手本体が該捨て板の幅方向中央に設置されていることを特徴する屋根板用継ぎ手である。
【００１２】
またこの横葺き屋根板において、上段屋根板部と下段屋根板部とが略同寸法に形成されていたり、段差部と下辺係止部の立下がり片とが略同じ高さに形成されていたり、段差部の下段屋根板部側に表面側に突出した凸状部と上段凸状部とが略同じ高さに形成されていたりすれば、より意匠性を向上させることができて好ましいのである。更に折返し係止片の水上側の端縁が屋根板本体の中心線側に行くに従って水下側に位置していれば、上段屋根板部及び下段屋根板部の左右側縁に形成されそれぞれ屋根板本体の裏面側に折り返された折返し係止片を、上段継ぎ手部と第１折返し部との間及び下段継ぎ手部と第３折返し部との間に容易に挿入して係止させることができて好ましく、下辺係止部の折曲げ部の左右側部がそれぞれ水上側から水下側の所定位置まで切り欠かれていれば、横葺き屋根板の左右側部に設置される捨て板に浸入してきた雨水等が下辺係止部の折曲げ部によってせき止められることがなく切り欠かれた折曲げ部の左右側部からスムーズに排水することができて好ましい。
【００１３】
更に、上記屋根板用継ぎ手において、第１折返し部及び第３折返し部の水下側の端縁が継ぎ手本体の中心線側に行くに従って水上側に位置していれば、横葺き屋根板の上段屋根板部及び下段屋根板部の左右側縁にそれぞれ形成された折返し係止片を上段継ぎ手部と第１折返し部との間及び下段継ぎ手部と第３折返し部との間に容易に挿入して係止させることができて好ましく、また継ぎ手本体の段差部がその下端に下段継ぎ手部側に傾斜した傾斜部を有していれば、横葺き屋根板の段差部の下段屋根板部側に形成されていて表面側に突出した凸状部が傾斜部によって裏面側から支持されるので凸状部の形状や位置がしっかりと維持されて好ましく、板材が継ぎ手本体の各折返し部の折返し線側に長手方向と平行な凸条部が設けられた板材であれば、横葺き屋根板の上段屋根板部及び下段屋根板部の左右側縁にそれぞれ設けられた折返し係止片が係止される各折返し部の曲げ剛性が大きくなって容易に変形しないので好ましく、板材が継ぎ手本体の立下がり部になる部分の両側に各折返し部の折返し線と同一直線の折返し線によってそれぞれ表面側に折り返された第４折返し部が設けられている板材であれば、継ぎ手本体の水下側終端で雨水が溢れて捨て板の左右の側端部まで流れて野地板上に達するようなことがなくて好ましく、更に捨て板の折曲部が長手方向の略中央に設けられていれば、上段屋根板部と下段屋根板部とが略同寸法に形成されている態様に対応できて施工された屋根の意匠性を向上させるのに好ましいことも究明したのである。
【発明の効果】
【００１４】
本発明に係る横葺き屋根板は、屋根板本体に上段屋根板部と下段屋根板部とその間に上段屋根板部から略直角に立ち下げられた段差部が形成されているから、１枚の屋根板であるにも拘わらず、２枚の屋根板が継がれているように見えて意匠性が高く、また屋根板内に段差部を設けるとその部位の雨仕舞が非常に難しくなるが、段差部の下段屋根板部側に表面側に突出した凸状部が形成されているから、横方向に隣接する屋根板の左右側縁間から段差部の裏面側に浸入した雨水は段差部の裏面側に沿ってこの凸状部の裏面側に流下するとこの凸状部の裏面側には空間が形成されているため毛細管現象等を起こすことなく、横葺き屋根板の左右側部に設置される捨て板に直ちに導かれるから十分な雨仕舞ができ、更にこの凸状部に合わせて上段屋根板部の水上側に上段凸状部を設けられているから、単に複数の段差がある屋根板とは異なり、各段差が単に直角に折曲されただけの簡単な形状ではなく２つの異なる形状の部位から形成されるので意匠性が格段に向上するのである。
【００１５】
また屋根板本体の上下端部に、下段屋根板部の水下側には裏面側に略直角に折り曲げられた水下側立下がり部及びこの水下側立下がり部から裏面側に略直角に折り曲げられた折曲げ部とから成る下辺係止部が、上段屋根板部の水上側には表面側に突出した上段凸状部と、この上段凸状部から上段屋根板部と略平行に水上側の第１折返し部に至る前記下辺係止部の折曲げ部用の載置部と、この第１折返し部から第２折返し部まで表面側に斜めに折り返された第１傾斜部と、第２折返し部で表面側に斜めに折り返された第２傾斜部と、この第２傾斜部の水上側で表面側に突出している突出部と、この突出部から立ち下げられた水上側立下がり部と、この水上側立下がり部の終端から屋根板本体の凸状部の下端と上段凸状部の下端とを結ぶ延長線上に位置するように表面側に折り曲げられている野地板固定片とから構成されている上辺係止部とが設けられているので、本発明に係る横葺き屋根板を順次上下に継いでいくと下辺係止部の折曲げ部は上辺係止部の載置部と第１傾斜部との間に形成される空間に挿入されて係止されるから、雨水はこの空間に入るだけでそれ以上奥まで浸入することは殆どなく、また浸入した場合にも上辺係止部の第２傾斜部の水上側には表面側に突出している突出部が設けられているから雨水が屋根板本体の裏面側まで到達することがないのである。
【００１６】
更に上段屋根板部及び下段屋根板部の左右側縁にそれぞれ屋根板本体の裏面側に折り返された折返し係止片が設けられているから、これらの折返し係止片を屋根板用継ぎ手にそれぞれ係止させることによって屋根板本体の左右側縁部がそれぞれ屋根板用継ぎ手によって確実に位置規制されるので雨仕舞が良く外観の良好な屋根を形成することができるのである。
【００１７】
またこのような横葺き屋根板に使用される本発明に係る屋根板用継ぎ手は捨て板と継ぎ手本体とから構成されていて、捨て板は左右側部にそれぞれ長手方向と平行に表面側に折り返された折返し部が設けられており少なくとも折返し部以外の部分の幅方向全面に長手方向と平行な波が連続して設けられている波板から形成されているから、雨水が浸入しても波の底部に沿って流下するから排水性が高いばかりでなく折返し部を乗り越えて野地板上に到達するようなこともなく、また下段捨て板部の水下側には裏面側に略直角に折り曲げられた水下側立下がり部が、上段捨て板部の水上側には表面側に斜めに折り返されていてその幅方向中央の上部に表面側に折り返された継ぎ板係止部が設けられている上辺係止部がそれぞれ形成されているから、本発明に係る屋根板用継ぎ手が最も軒側に配置される場合には水下側立下がり部に横葺き屋根板の下辺係止部を係止させると共に上段捨て板部と上辺係止部との間に横葺き屋根板の野地板固定片を挿入してその野地板固定片を捨て板の存在しない位置で野地板上に釘打ち固定し、最も軒側より水上側に配置される場合には水下側立下がり部をその水下側の横葺き屋根板の第２折返し部に沿って配置しておいてその水下側立下がり部に横葺き屋根板の下辺係止部を係止させると共に上段捨て板部と上辺係止部との間に横葺き屋根板の野地板固定片を挿入してその野地板固定片を捨て板の存在しない位置で野地板上に釘打ち固定する作業が繰り返されるので捨て板は釘打ち等を行うことなく容易に敷設することができる。
【００１８】
また継ぎ手本体は、上部係合部になる部分と上段継ぎ手部になる部分と段差部になる部分と下段継ぎ手部になる部分と立下がり部になる部分と折曲げ部になる部分とが順次設けられており、上部係合部になる部分と上段継ぎ手部になる部分とにはその両側にそれぞれ表面側に折り返された所定幅の第１折返し部が、段差部になる部分には第１折返し部の幅より狭い表面側に折り返された第２折返し部が、下段継ぎ手部になる部分には第１折返し部と略同じ幅で表面側に折り返された第３折返し部が、各折返し部の折返し線が一直線状になるように設けられている板材から形成されているから、横葺き屋根板の上段屋根板部及び下段屋根板部の左右側縁の裏面側にそれぞれ設けられた折返し係止片を上段継ぎ手部と第１折返し部との間及び下段継ぎ手部と第３折返し部との間に水下側から挿入係止するだけで横葺き屋根板を容易に施工することができ、更にこの継ぎ手本体は、上段継ぎ手部になる部分の水上側で上部係合部になる部分が表面側に斜めに折り返されており、上段継ぎ手部になる部分の水下側で段差部になる部分が略直角に立ち下げられており、段差部になる部分の下端で下段継ぎ手部になる部分が上段継ぎ手部になる部分と略平行に表面側に折曲されており、下段継ぎ手部になる部分の水下側で立下がり部になる部分が裏面側に略直角に折り曲げられており、立下がり部になる部分の下端で折曲げ部になる部分が裏面側に略直角に折り曲げられて形成されているから、継ぎ手本体は横葺き屋根板と略同じ横断面形状をなしていて、横方向に隣接した横葺き屋根板の左右側縁間から裏面側に浸入してきた雨水の多くは継ぎ手本体に流れ込むのでこの継ぎ手本体から雨水を確実に排水することができ、
また継ぎ手本体の下段継ぎ手部の裏面がその水上側の端部を捨て板の折曲部に位置した状態で捨て板の下段捨て板部の表面に当接しており、捨て板の水下側立下がり部が継ぎ手本体の立下がり部と折曲げ部とに、また継ぎ手本体の上部係合部が捨て板の上辺係止部の継ぎ板係止部にそれぞれ係止された状態で、継ぎ手本体が捨て板の幅方向中央に設置されているから、大量の雨水が浸入して継ぎ手本体から溢れても捨て板の幅方向中央で溢れるので捨て板によって雨水を確実に排水することができ、更に捨て板と継ぎ手本体とが一体化されているから、捨て板と継ぎ手本体とを別々に屋根へ設置する場合に比べて手間が省けるのである。
【００１９】
そして、上記した本発明に係る横葺き屋根板において、上段屋根板部と下段屋根板部とが略同寸法に形成されている場合には、略同寸法の比較的小さな屋根板が順次葺かれているように見え、段差部と下辺係止部の立下がり片とが略同じ高さに形成されている場合には、屋根板本体の段差部と下辺係止部の立下がり部とによってそれぞれ段差が形成されるので、各段差が略同じの高さに見え、更に段差部の下段屋根板部側に表面側に突出した凸状部と上段凸状部とが略同じ高さに形成されている場合には、各凸状部が略同じ高さに見えるから、略同寸法の立体的な模様が繰り返された屋根を施工することができるので意匠性が向上して好ましいのである。このように意匠性を向上させるには、捨て板の折曲部が長手方向の略中央に設けられていることが好ましい。更に折返し係止片の水上側の端縁が屋根板本体の中心線側に行くに従って水下側に位置している場合には、屋根板本体の上段屋根板部及び下段屋根板部の左右側縁に形成されそれぞれ裏面側に折り返された折返し係止片を屋根板用継ぎ手の上段継ぎ手部と第１折返し部との間及び下段継ぎ手部と第３折返し部との間に容易に挿入して係止させることができて好ましく、下辺係止部の折曲げ部の左右側部がそれぞれ水上側から水下側の所定位置まで切り欠かれている場合には、横葺き屋根板の左右側部に設置される捨て板に浸入してきた雨水等が下辺係止部の折曲げ部によってせき止められることがなく切り欠かれた折曲げ部の左右側部からスムーズに排水することができて好ましいのである。
【００２０】
また上記した本発明に係る屋根板用継ぎ手において、第１折返し部及び第３折返し部の水下側の端縁が継ぎ手本体の中心線側に行くに従って水上側に位置している場合には、横葺き屋根板の上段屋根板部及び下段屋根板部の左右側縁の裏面側にそれぞれ形成された折返し係止片を上段継ぎ手部と第１折返し部との間及び下段継ぎ手部と第３折返し部との間に容易に挿入して係止できて好ましく、また継ぎ手本体の段差部がその下端に下段継ぎ手部側に傾斜した傾斜部を有している場合には、横葺き屋根板の段差部の下段屋根板部側に形成されていて表面側に突出した凸状部が傾斜部によって裏面側から支持されるので凸状部の形状や位置がしっかりと維持されて好ましく、板材が継ぎ手本体の各折返し部の折返し線側に長手方向と平行な凸条部が設けられた板材である場合には、横葺き屋根板の上段屋根板部及び下段屋根板部の左右側縁にそれぞれ設けられた折返し係止片が係止される各折返し部の曲げ剛性が大きくなって変形し難くなるので好ましく、更に板材が継ぎ手本体の立下がり部になる部分の両側に各折返し部の折返し線と同一直線の折返し線によってそれぞれ表面側に折り返された第４折返し部が設けられている板材である場合には、継ぎ手本体の水下側終端で雨水が溢れて捨て板の左右の側端部まで流れて野地板上に達するようなことがなくて好ましいのである。
【発明を実施するための最良の形態】
【００２１】
以下、図面により本発明に係る横葺き屋根板及び屋根板用継ぎ手について詳細に説明する。
図１は本発明に係る横葺き屋根板の１実施例を示す正面説明図、図２は図１の横葺き屋根板の背面説明図、図３は図１の横葺き屋根板の側面説明図、図４は本発明に係る屋根板用継ぎ手の１実施例を示す正面説明図、図５は図４の屋根板用継ぎ手の側面説明図、図６は図４の屋根板用継ぎ手の底面説明図、図７は図４の屋根板用継ぎ手に図１における横葺き屋根板を取り付けた様子を示す斜視説明図、図８は施工時の横葺き屋根板の配置状態を示す概略説明図である。
【００２２】
図面中、１は上段屋根板部1aと下段屋根板部1bとの間に上段屋根板部1aから略直角に立ち下げられた段差部1c及びその下段屋根板部1b側に表面側に突出した凸状部1dが形成されている屋根板本体である。この屋根板本体１の四周には後述する下辺係止部２と上辺係止部３と折返し係止片４，４，４，４とが形成されている。この四周に係止部２，３，４，４，４，４が形成された屋根板本体１は、一枚の金属板から成形されており、この金属板としては、銅板が好ましく使用できるが、塗装鋼板等であってもよい。また上段屋根板部1aと下段屋根板部1bとが略同寸法であれば、略同寸法の比較的小さな屋根板が順次葺かれているように見えて意匠性が向上して好ましい。
【００２３】
２は屋根板本体１の下段屋根板部1bの水下側で裏面側に略直角に折り曲げられた水下側立下がり部2aとこの水下側立下がり部2aから裏面側に略直角に折り曲げられた折曲げ部2bとから成る下辺係止部であり、この下辺係止部２を後述する上辺係止部３に覆い被せるようにして係止させることによって本発明に係る横葺き屋根板が上下に順次継がれていくのである。また覆い被された下辺係止部２の立下がり部2aが段差として外部に表れるのである。従って、屋根板本体１の段差部1cと下辺係止部２の立下がり部2aとが略同じ高さであれば、外部から見える屋根板本体１の段差部1cと下辺係止部２の立下がり部2aとが略同じ高さとなるから意匠性が向上して好ましい。また下辺係止部２の折曲げ部2bの左右側部がそれぞれ水上側から水下側の所定位置まで切り欠かれていれば、横葺き屋根板の左右側部に設置される後述する捨て板５に浸入してきた雨水等が下辺係止部２の折曲げ部2bによってせき止められることがなく切り欠かれた折曲げ部2bの左右側部からスムーズに排水することができて好ましい。
【００２４】
３は屋根板本体１の上段屋根板部1aの水上側で表面側に突出した上段凸状部3aと、この上段凸状部3aから上段屋根板部1aと略平行に水上側の第１折返し部Ａに至る前記下辺係止部２の折曲げ部2b用の載置部3bと、第１折返し部Ａから第２折返し部Ｂまで表面側に斜めに折り返された第１傾斜部3cと、第２折返し部Ｂで表面側に斜めに折り返された第２傾斜部3dと、この第２傾斜部3dの水上側で表面側に突出している突出部3eと、この突出部3eから立ち下げられた水上側立下がり部3fと、この水上側立下がり部3fの終端から屋根板本体１の凸状部1dの下端と上段凸状部3aの下端とを結ぶ延長線上に位置するように表面側に折り曲げられている野地板固定片3gとから構成されている上辺係止部である。この上辺係止部３に下辺係止部２を係止させて本発明に係る横葺き屋根板を順次上下に継いでいく際に、下辺係止部２の折曲げ部2bは上辺係止部３の載置部3bと第１折返し部Ａとの間に形成される空間に挿入されて係止される。また屋根板本体１の段差部1cの下段屋根板部1b側に表面側に突出した凸状部1dと上段凸状部3aとが略同じ高さであれば、各凸状部が略同じ高さに見えるから、略同寸法の立体的な模様が繰り返された屋根を施工することができるので意匠性が向上して好ましい。
【００２５】
４は屋根板本体１の上段屋根板部1a及び下段屋根板部1bの左右側縁にそれぞれ屋根板本体１の裏面側に折り返された折返し係止片であり、後述する本発明に係る屋根板用継ぎ手の継ぎ手本体６の上段継ぎ手部6bと下段継ぎ手部6dとの両側でそれぞれ表面側に折り返された所定幅の第１折返し部6baと第３折返し部6daとにそれぞれ係止されることによって、上段屋根板部1a及び下段屋根板部1bはそれぞれ強固に保持されるのである。また折返し係止片４，４，４，４の水上側の端縁が屋根板本体１の中心線側に行くに従って水下側に位置していれば、上段屋根板部1a及び下段屋根板部1bの左右側縁に形成されそれぞれ屋根板本体１の裏面側に折り返された折返し係止片４，４，４，４を、後述する屋根板用継ぎ手の上段継ぎ手部6bと第１折返し部6baとの間及び下段継ぎ手部6dと第３折返し部6daとの間に容易に挿入して係止させることができて好ましい。
【００２６】
５は左右側部にそれぞれ長手方向と平行に表面側に折り返された折返し部5f，5fが形成されており少なくともその折返し部5f，5f以外の部分の幅方向全面に長手方向と平行な波が連続して設けられている波板から成り、長手方向に直交する折曲部5cで表面側に折り曲げられて上段捨て板部5aと下段捨て板部5bとが形成されており、下段捨て板部5bの水下側には裏面側に略直角に折り曲げられた水下側立下がり部5dが、上段捨て板部5aの水上側には表面側に斜めに折り返されていてその幅方向中央の上部に表面側に折り返された継ぎ板係止部5eaが設けられている上辺係止部5eがそれぞれ形成されている捨て板である。この捨て板５は波板から形成されているので雨水が浸入しても波の底部に沿って雨水が流下するので排水性が高く、また左右側部にそれぞれ表面側に折り返された折返し部が設けられているので大量の雨水が浸入して継ぎ手本体から溢れても雨水が捨て板の左右の側端部を越えて野地板上に達するようなことがなく、更に長手方向に直交する折曲部で折り曲げられているので捨て板の水上側の裏面が野地板上に当接して設置できるため横葺き屋根板の安定性が向上するのである。
【００２７】
６は上部係合部6aになる部分と上段継ぎ手部6bになる部分と段差部6cになる部分と下段継ぎ手部6dになる部分と立下がり部6eになる部分と折曲げ部6fになる部分とが順次設けられており、上部係合部6aになる部分と上段継ぎ手部6bになる部分とにはその両側にそれぞれ表面側に折り返された所定幅の第１折返し部6aa，6baが、段差部6cになる部分には第１折返し部6aa，6baの幅より狭い表面側に折り返された第２折返し部6caが、下段継ぎ手部6dになる部分には第１折返し部6aa，6baと略同じ幅で表面側に折り返された第３折返し部6daが、各折返し部6aa，6ba，6ca，6daの折返し線が一直線状になるように設けられている板材から成り、上段継ぎ手部6bになる部分の水上側で上部係合部6aになる部分が表面側に斜めに折り返されており、上段継ぎ手部6bになる部分の水下側で段差部6cになる部分が略直角に立ち下げられており、段差部6cになる部分の下端で下段継ぎ手部6dになる部分が上段継ぎ手部6bと略平行に略直角に表面側に折曲されており、下段継ぎ手部6dになる部分の水下側で立下がり部6eになる部分が裏面側に略直角に折り曲げられており、立下がり部6eになる部分の下端で折曲げ部6fになる部分が裏面側に略直角に折り曲げられている継ぎ手本体である。この継ぎ手本体６はその下段継ぎ手部6dの裏面がその水上側の端部を捨て板５の折曲部5cに位置した状態で捨て板５の下段捨て板部5bの表面に当接しており、捨て板５の水下側立下がり部5dが継ぎ手本体６の立下がり部6eと折曲げ部6fとに、また継ぎ手本体６の上部係合部6aが捨て板５の上辺係止部5eの継ぎ板係止部5eaにそれぞれ係止された状態で、捨て板５の幅方向中央に設置されていて、捨て板５と一体化されているから捨て板５と継ぎ手本体６とを別々に屋根へ設置する場合に比べて手間が省けるのである。
【００２８】
また、このような継ぎ手本体６では、第１折返し部6ba及び第３折返し部6daの水下側の端縁が継ぎ手本体６の中心線側に行くに従って水上側に位置している場合には、横葺き屋根板の上段屋根板部1a及び下段屋根板部1bの左右側縁の裏面側にそれぞれ形成された折返し係止片４，４，４，４を上段継ぎ手部6bと第１折返し部6baとの間及び下段継ぎ手部6dと第３折返し部6daとの間に容易に挿入して係止できて好ましく、継ぎ手本体６の段差部6cがその下端に下段継ぎ手部6d側に傾斜した傾斜部6cbを有している場合には、横葺き屋根板の段差部1cの下段屋根板部1b側に形成されている表面側に突出した凸状部1dが傾斜部6cbによって裏面側から支持されるので凸状部1dの形状や位置がしっかりと維持されて好ましく、また板材が継ぎ手本体６の各折返し部6aa，6ba，6ca，6daの折返し線側に長手方向と平行な凸条部6g，6gが設けられた板材である場合には、横葺き屋根板の上段屋根板部1a及び下段屋根板部1bの左右側縁にそれぞれ設けられた折返し係止片４，４，４，４が係止される各折返し部6aa，6ba，6ca，6daの曲げ剛性が大きくなって変形し難くなるので好ましく、更に板材が継ぎ手本体６の立下がり部6eになる部分の両側に各折返し部6aa，6ba，6ca，6daの折返し線と同一直線の折返し線によってそれぞれ表面側に折り返された第４折返し部6eaが設けられている板材である場合には、継ぎ手本体６の水下側終端で雨水が溢れて捨て板５の左右の側端部まで流れて野地板上に達するようなことがなくて好ましいのである。
【００２９】
一般に横葺き屋根板及び屋根板用継ぎ手の施工では、横葺き屋根板は屋根板用継ぎ手に係止されて横方向に継がれるので、屋根板用継ぎ手はしっかりと野地板上に固定されている必要がある。しかしながら、屋根板用継ぎ手を釘等で野地板上に固定すると、その釘打ち部分から雨水等が野地板上へと浸水して雨漏り等の原因となる。特に本発明に係る横葺き屋根板のように、上段屋根板部1aと下段屋根板部1bとの間に段差部が設けられている横葺き屋根板では、この段差部から屋根板用継ぎ手内に雨水等が浸入し易いため、屋根板用継ぎ手を釘等で野地板上に固定すると雨漏り等が発生し易いが、本発明に係る横葺き屋根板及び屋根板用継ぎ手では、釘等で屋根板用継ぎ手を野地板上に直接固定せずに施工する。
【００３０】
また屋根板用継ぎ手を野地板に固定しない場合、施工の際に横葺き屋根板の左右側縁に係止される屋根板用継ぎ手を手で押さえておいて屋根板用継ぎ手に横葺き屋根板の左右側縁を係止させる必要があるため人手を要するが、本発明に係る横葺き屋根板及び屋根板用継ぎ手では、屋根板用継ぎ手を野地板に直接固定しないにも拘わらず容易に施工できる。以下にその施工方法について詳述する。
【００３１】
本発明に係る横葺き屋根板及び屋根板用継ぎ手は軒側の列から順次棟側に葺いていくが、その際に先ず横葺き屋根板の左右側縁の決められた一方の側縁に予め屋根板用継ぎ手を係止させ一体化させてから葺いていく。例えば、野地板上の最も軒側に横葺き屋根板を左側から順に葺いていく場合には、各横葺き屋根板の右側の側縁に形成された折返し係止片４，４を、屋根板用継ぎ手の上段継ぎ手部6bとその左側で表面側に折り返された第１折返し部6baとの間及び下段継ぎ手部6dとその左側で表面側に折り返された第３折返し部6daとの間に水下側から挿入係止して一体化させておき、次いでその右側に葺かれる横葺き屋根板の屋根板用継ぎ手が係止されていない左側の側縁の折返し係止片４，４を、野地板上にその上辺係止部３の野地板固定片3gが捨て板５の存在しない位置で既に釘打ちされて固定された横葺き屋根板に装着されている屋根板用継ぎ手の上段継ぎ手部6bとその右側で表面側に折り返された第１折返し部6baとの間及び下段継ぎ手部6dとその右側で表面側に折り返された第３折返し部6daとの間に挿入係止する。この際、横葺き屋根板の下辺係止部２は屋根板用継ぎ手の水下側立下がり部5dに係止されると共に上辺係止部３の野地板固定片3gは捨て板５の上段捨て板部5aと上段捨て板部5aの水上側で表面側に斜めに折り返された上辺係止部5eとの間に形成された空間に挿入される。そしてこのようにして新たに設置された横葺き屋根板はその上辺係止部３の野地板固定片3gが捨て板５の存在しない位置で釘打ちされて野地板に固定される。
【００３２】
このように横葺き屋根板と屋根板用継ぎ手とを一体化させておいて施工すれば、野地板に直接固定されない屋根板用継ぎ手を手で押さておく必要がなく、少人数で容易に施工することができる。また屋根板用継ぎ手は野地板に直接固定されないが、係止された左右の横葺き屋根板が野地板固定片3gを釘等により野地板に固定されているので、屋根板用継ぎ手は左右方向に位置固定され、また屋根板用継ぎ手は水下側立下がり部5dが横葺き屋根板の下辺係止部２に係止されていると共に上段捨て板部5aが横葺き屋根板の上辺係止部３に係止されているから棟側及び軒側方向についても位置固定されるので、本発明に係る屋根板用継ぎ手は釘等を使用することなく完全に固定できるのである。
【００３３】
また横葺き屋根板及び屋根板用継ぎ手を最も軒側より水上側に配置する場合は、前述のように横葺き屋根板の左右側縁の決められた一方の側縁に予め屋根板用継ぎ手を係止させて一体化させて、横葺き屋根板及び屋根板用継ぎ手を左右に継いでいくだけでなく、水下側の横葺き屋根板に係止させる必要がある。そのためには、先ず横葺き屋根板の水下側立下がり部2a及び屋根板用継ぎ手の水下側立下がり部5dをその水下側の横葺き屋根板の第２折返し部Ｂに沿って配置した状態で横葺き屋根板の下辺係止部２を軒側に位置する横葺き屋根板の上辺係止部３に覆い被せる。次に横葺き屋根板の野地板固定片3gを捨て板５の存在しない位置で野地板に釘打ち固定する。このような作業を繰り返すことによって横葺き屋根板及び屋根板用継ぎ手は軒側から棟側へと図８の如く順次継がれて取り付けられる。またこの際に、図８の如く各横葺き屋根板の左右側縁がそれぞれ水下側の横葺き屋根板の長手方向の略中央に位置するように配置すれば、意匠性が向上するだけでなく、横方向に隣接する横葺き屋根板の左右側縁間から流入した雨水等は隣接する横葺き屋根板の左右側部間の野地板側に設置された屋根板用継ぎ手を介して水下側の横葺き屋根板上に排出されるので、屋根板用継ぎ手を介して排出された雨水等が再び水下側の横方向に隣接する横葺き屋根板の左右側縁間に流れ込むことがないのである。
【００３４】
かくして施工された横葺き屋根板は上下方向に継がれる際に水上側に固定される横葺き屋根板の下辺係止部２の折曲げ部2bが水下側に固定された横葺き屋根板の上辺係止部３の載置部3bと第１傾斜部3cとの間に形成される空間に挿入されて係止されるから、ほとんどの雨水がこの空間に入るだけでそれ以上奥まで浸入することは殆どなく、また浸入した場合にも上辺係止部３の第２傾斜部3dの水上側には表面側に突出している突出部3eが設けられているから雨水が屋根板本体１の裏面側まで到達することがないので、上下方向の雨仕舞は完全である。
【００３５】
また本発明に係る横葺き屋根板のように屋根板内に段差部1cを設けるとその部位の雨仕舞が非常に難しくなるが、横葺き屋根板の段差部1cの下段屋根板部1b側には表面側に突出した凸状部1dが形成されているから、横方向に隣接する横葺き屋根板の左右側縁間から段差部1cの裏面側に浸入した雨水は段差部1cの裏面側に沿ってこの凸状部1dの裏面側に流下するが、この凸状部1dの裏面側には空間が形成されているため毛細管現象等を起こすことなく横方向に隣接する横葺き屋根板の左右側部間に設置される継ぎ手本体６や捨て板５に直ちに導かれるから十分な雨仕舞ができるのである。更に、横方向に隣接する横葺き屋根板の段差部1c以外の左右側縁間から浸入した雨水は、継ぎ手本体６の上段継ぎ手部6bと下段継ぎ手部6dとの両側でそれぞれ上段継ぎ手部6bと屋根板本体１の折返し係止片４，４との間及び下段継ぎ手部6dと屋根板本体１の折返し係止片４，４との間で毛細管現象等によって上段継ぎ手部6b及び下段継ぎ手部6dの左右側縁に向かって流れるが上段継ぎ手部6bと第１折返し部6ba，6baとの間の上段継ぎ手部6bの側縁側及び下段継ぎ手部6dと第３折返し部6da，6daとの間の下段継ぎ手部6dの側縁側には屋根板本体１の折返し係止片４，４，４，４が挿入されていない空間部が存在するので雨水はその空間部をそのまま流下し、継ぎ手本体６の下方に形成された立下がり部6eの表面と横葺き屋根板の下辺係止部２の裏面との間から水下側に固定された横葺き屋根板上に流れ出るのである。そして、更に継ぎ手本体６の第１折返し部6ba，6baと屋根板本体１の折返し係止片４，４との間及び継ぎ手本体６の第３折返し部6da，6daと屋根板本体１の折返し係止片４，４との間に毛細管現象等によって流入した雨水は、屋根板本体１と折返し係止片４，４，４，４との間の屋根板本体１の側縁側には上段継ぎ手部6bの第１折返し部6ba，6baや下段継ぎ手部6dの第３折返し部6da，6daが挿入されていない空間部が存在するので雨水はその空間部をそのまま流下し、継ぎ手本体６の下方に形成された立下がり部6eの表面と横葺き屋根板の下辺係止部２の裏面との間から水下側に固定された横葺き屋根板上に流れ出るのである。更に継ぎ手本体６の第１折返し部6ba，6ba及び第３折返し部6da，6daと屋根板本体１との間に流入した雨水は、継ぎ手本体６の各折返し部6aa，6ba，6ca，6daの側縁側に長手方向と平行な凸条部6g，6gが設けられていればこの凸条部6g，6gによって捨て板５の表面へと流れるのを防止され、また捨て板５の表面へと流れた場合には、捨て板５の波の底部に沿って下段捨て板部5bの水下側立下がり部5dの表面と横葺き屋根板の下辺係止部２の裏面との間から水下側に固定された横葺き屋根板上に流れ出るのである。そして、豪雨時などで捨て板５へ大量の雨水が溢れるような場合でも、捨て板５は波板から形成されているので、捨て板５の幅方向に設けられた長手方向と平行な波に沿って流下するので雨水は捨て板５の左右へと流れ難く、更に捨て板５の左右の側端部には長手方向の全長に亘る折返し部5f，5fが形成されているので、雨水が捨て板５の左右の側端部まで流れて野地板上に達するようなことがなく、雨水は確実に捨て板５の下段捨て板部5bの水下側立下がり部5dの表面と横葺き屋根板の下辺係止部２の裏面との間から水下側に固定された横葺き屋根板上に流れ出るのである。
【００３６】
このように、本発明に係る屋根用継ぎ手は、横方向に隣接する横葺き屋根板の左右側縁間から浸入した雨水に対して数々の工夫がなされているので雨仕舞は完全であり、雨水が野地板上に達するようなことがないのである。
【００３７】
また、通常屋根板用継ぎ手を使用して横葺き屋根板を施工する場合、その継がれた部分から雨水が入り易いために、その継がれた部分にカバー材を屋根板の表面側から装着することが多いが、本発明に係る屋根板用継ぎ手では、横方向に隣接する横葺き屋根板の左右側縁間から浸入した雨水を確実に排水することができるのでカバー材が不要であり、その結果、横葺き屋根板の意匠性が損なわれることがないのである。
【図面の簡単な説明】
【００３８】
【図１】本発明に係る横葺き屋根板の１実施例を示す正面説明図である。
【図２】図１における横葺き屋根板の背面説明図である。
【図３】図１における横葺き屋根板の側面説明図である。
【図４】本発明に係る屋根板用継ぎ手の１実施例を示す正面説明図である。
【図５】図４における屋根板用継ぎ手の側面説明図である。
【図６】図４における屋根板用継ぎ手の底面説明図である。
【図７】図４における屋根板用継ぎ手に図１の横葺き屋根板を取り付けた様子を示す斜視説明図である。
【図８】施工時の横葺き屋根板の配置状態を示す概略説明図である。
【符号の説明】
【００３９】
１  屋根板本体
1a  上段屋根板部
1b  下段屋根板部
1c  段差部
1d  凸状部
２  下辺係止部
2a  水下側立下がり部
2b  折曲げ部
３  上辺係止部
3a  上段凸状部
3b  載置部
3c  第１傾斜部
3d  第２傾斜部
3e  突出部
3f  水上側立下がり部
3g  野地板固定片
Ａ  第１折返し部
Ｂ  第２折返し部
４  折返し係止片
５  捨て板
5a  上段捨て板部
5b  下段捨て板部
5c  折曲部
5d  水下側立下がり部
5e  上辺係止部
5ea  継ぎ板係止部
5f  折返し部
６  継ぎ手本体
6a  上部係合部
6aa  第１折返し部
6b  上段継ぎ手部
6ba  第１折返し部
6c  段差部
6ca  第２折返し部
6cb  傾斜部
6d  下段継ぎ手部
6da  第３折返し部
6e  立下がり部
6ea  第４折返し部
6f  折曲げ部
6g  凸条部
【図１】
2006193948.tif 000003
【図２】
2006193948.tif 000004
【図３】
2006193948.tif 000005
【図４】
2006193948.tif 000006
【図５】
2006193948.tif 000007
【図６】
2006193948.tif 000008
【図７】
2006193948.tif 000009
【図８】
2006193948.tif 000010